(57)【要約】【課題】標準電波から時刻データを認識する際の認識精度を向上すること。【解決手段】電波修正時計は、ヒステリシス特性を備え、包絡線信号を二値化して出力する二値化回路３７と、二値化回路３７が出力した各信号の信号幅を検出し、その検出信号幅に基づいて、０信号または１信号を認識する信号認識部４１１と、信号認識部４１１で認識された０信号および１信号が正しいかを判定する判定部４１４と、判定部４１４が正しいと判定した場合、０信号と認識された信号の検出信号幅の平均値と０信号を示す信号幅との差分、および、１信号と認識された信号の検出信号幅の平均値と１信号を示す信号幅との差分の少なくとも一方を算出する算出部４１５と、二値化回路３７が出力した各信号の信号幅を、算出部４１５が算出した差分を用いて閾値と比較することで、０信号または１信号を認識し、時刻データを抽出するデコード部４１６とを有する。【選択図】図５
2014077695.tif 000002
【特許請求の範囲】
【請求項１】
時刻を計時する計時部と、
標準電波を受信して受信信号を出力する受信部と、
前記受信部が出力した受信信号を検波して包絡線信号を出力する検波部と、
ヒステリシス特性を備え、前記検波部が出力した包絡線信号を二値化して出力する二値化部と、
前記二値化部が出力した各信号の信号幅を検出し、その検出信号幅に基づいて、二進数の０を示す０信号または二進数の１を示す１信号を認識する信号認識部と、
前記信号認識部で認識された０信号および１信号が正しいかを判定する判定部と、
前記判定部が正しいと判定した場合、前記信号認識部で０信号と認識された信号の検出信号幅の平均値と０信号を示す信号幅との差分、および、前記信号認識部で１信号と認識された信号の検出信号幅の平均値と１信号を示す信号幅との差分の少なくとも一方を算出する算出部と、
前記二値化部が出力した各信号の信号幅を検出し、その検出信号幅を前記算出部が算出した差分を用いて閾値と比較することで、０信号または１信号を認識し、時刻データを抽出するデコード部と、
前記デコード部が抽出した時刻データに基づいて、前記計時部が計時する時刻を修正する時刻修正部と、
を有することを特徴とする電波修正時計。
【請求項２】
請求項１に記載の電波修正時計において、
前記信号認識部は、前記標準電波のタイムコードにおける時、分、日付の少なくとも１つのビット列の各信号と、前記ビット列に対応するパリティビットの信号とを認識し、
前記判定部は、前記信号認識部で認識された前記時、分、日付の少なくとも１つのビット列の各信号を、前記パリティビットの信号でパリティチェックを行い、誤りが無いと判断した場合に、前記認識された信号は正しいと判定する、
ことを特徴とする電波修正時計。
【請求項３】
請求項１に記載の電波修正時計において、
前記信号認識部は、前記標準電波の連続する２分間分の信号を認識し、はじめの１分間分の信号で示される第１時刻データと、次の１分間分の信号で示される第２時刻データとを抽出し、
前記判定部は、前記第１時刻データの１分後の時刻データが、前記第２時刻データと一致する場合に、前記認識した信号は正しいと判定する、
ことを特徴とする電波修正時計。
【請求項４】
請求項１に記載の電波修正時計において、
前記信号認識部は、前記標準電波の１分間分の信号を認識して時刻データを抽出し、
前記判定部は、前記時刻データが、前記計時部が計時する時刻と一致する場合に、前記認識した信号は正しいと判定する、
ことを特徴とする電波修正時計。
【請求項５】
請求項１から４のいずれかに記載の電波修正時計において、
前記デコード部は、検出した各信号の検出信号幅から前記算出部が算出した差分を差し引いた値を、閾値と比較することで、０信号または１信号を認識する、
ことを特徴とする電波修正時計。
【請求項６】
請求項１から４のいずれかに記載の電波修正時計において、
前記デコード部は、検出した各信号の検出信号幅を、閾値に前記算出部が算出した差分を足した値と比較することで、０信号または１信号を認識する、
ことを特徴とする電波修正時計。
【請求項７】
請求項１から６のいずれかに記載の電波修正時計において、
前記信号認識部は、０信号および１信号のうち、信号幅の小さい信号の信号幅を検出し、
前記算出部は、前記信号幅の小さい信号の検出信号幅の平均値と、その信号の信号幅との差分を算出する、
ことを特徴とする電波修正時計。
【請求項８】
時刻を計時する計時部と、標準電波を受信して受信信号を出力する受信部と、前記受信部が出力した受信信号を検波して包絡線信号を出力する検波部と、ヒステリシス特性を備え、前記検波部が出力した信号を二値化して出力する二値化部とを有する電波修正時計の時刻修正方法であって、
前記二値化部が出力した各信号の信号幅を検出し、その検出信号幅に基づいて、二進数の０を示す０信号または二進数の１を示す１信号を認識する信号認識ステップと、
前記信号認識ステップで認識された０信号および１信号が正しいかを判定する判定ステップと、
前記判定ステップで正しいと判定した場合、前記信号認識ステップで０信号と認識された信号の検出信号幅の平均値と０信号を示す信号幅との差分、および、前記信号認識ステップで１信号と認識された信号の検出信号幅の平均値と１信号を示す信号幅との差分の少なくとも一方を算出する算出ステップと、
前記二値化部が出力した各信号の信号幅を検出し、その検出信号幅を前記算出ステップで算出した差分を用いて閾値と比較することで、０信号または１信号を認識し、時刻データを抽出する抽出ステップと、
前記抽出ステップで抽出した時刻データに基づいて、前記計時部が計時する時刻を修正する時刻修正ステップと、
を有することを特徴とする電波修正時計の時刻修正方法。
【発明の詳細な説明】
【技術分野】
【０００１】
本発明は、標準電波に基づいて時刻を修正する電波修正時計および電波修正時計の時刻修正方法に関する。
【背景技術】
【０００２】
標準電波を受信し、受信した標準電波に基づいて内部時刻を修正する電波修正時計が知られている。電波修正時計は、標準電波を受信して受信信号を生成し、生成した受信信号を検波して包絡線信号を生成する。さらに、生成した包絡線信号を二値化回路によって閾値電圧と比較して二値化する。さらに、電波修正時計は、二値化した信号の信号幅に基づいて二進数の「０」を示す０信号または二進数の「１」を示す１信号を認識して時刻データを抽出し、抽出した時刻データに基づいて内部時刻を修正する。
例えば、特許文献１では、受信した標準電波を復調した復調信号の信号幅に基づいて、０信号または１信号を認識する電波修正時計が開示されている。
【０００３】
このような電波修正時計では、受信した標準電波の強度が弱く、包絡線信号の電圧が低い場合に、例えば、包絡線信号の信号波形が歪んでいると、二値化回路が出力する信号にチャタリングが発生することがある。
このため、ヒステリシス特性を備えた二値化回路を用いてチャタリングの発生を抑制することが試みられている。
【先行技術文献】
【特許文献】
【０００４】
【特許文献１】特開２００８−５１７０５号公報
【発明の概要】
【発明が解決しようとする課題】
【０００５】
しかしながら、ヒステリシス特性を備えた二値化回路を用いた場合、包絡線信号にノイズが含まれていると、二値化によって信号波形にノイズが吸収されてしまい、二値化した信号の信号幅が、包絡線信号の信号幅に比べて大きくなる可能性がある。この場合、０信号または１信号の認識が正しく行われない可能性がある。
例えば、ドイツの標準電波「ＤＣＦ７７」では、０信号を示すパルスの信号幅が０．１秒であり、１信号を示すパルスの信号幅が０．２秒である。つまり、０信号を示す信号幅と１信号を示す信号幅との間隔が小さい。
このため、ノイズの影響により二値化回路によって信号幅が増大されると、信号幅の小さい０信号が、信号幅の大きい１信号として間違って認識されてしまう可能性がある。
【０００６】
本発明の目的は、標準電波から時刻データを認識する際の認識精度を向上できる電波修正時計および電波修正時計の時刻修正方法を提供することにある。
【課題を解決するための手段】
【０００７】
本発明の電波修正時計は、時刻を計時する計時部と、標準電波を受信して受信信号を出力する受信部と、前記受信部が出力した受信信号を検波して包絡線信号を出力する検波部と、ヒステリシス特性を備え、前記検波部が出力した包絡線信号を二値化して出力する二値化部と、前記二値化部が出力した各信号の信号幅を検出し、その検出信号幅に基づいて、二進数の０を示す０信号または二進数の１を示す１信号を認識する信号認識部と、前記信号認識部で認識された０信号および１信号が正しいかを判定する判定部と、前記判定部が正しいと判定した場合、前記信号認識部で０信号と認識された信号の検出信号幅の平均値と０信号を示す信号幅との差分、および、前記信号認識部で１信号と認識された信号の検出信号幅の平均値と１信号を示す信号幅との差分の少なくとも一方を算出する算出部と、前記二値化部が出力した各信号の信号幅を検出し、その検出信号幅を前記算出部が算出した差分を用いて閾値と比較することで、０信号または１信号を認識し、時刻データを抽出するデコード部と、前記デコード部が抽出した時刻データに基づいて、前記計時部が計時する時刻を修正する時刻修正部と、を有することを特徴とする。
【０００８】
本発明によれば、標準電波の受信信号は前記検波部で包絡線信号とされ、前記二値化部は、この包絡線信号を二値化する。前記信号認識部は、二値化された各信号の信号幅を検出して、０信号または１信号を認識する。前記判定部は、パリティチェックなどによって、送信信号が０信号のビットを、受信信号においても正しく０信号と認識したかや、送信信号が１信号のビットを、受信信号においても正しく１信号と認識したかを判定する。
前記算出部は、前記判定部が正しいと判定した場合、前記信号認識部で０信号と認識された信号の検出信号幅の平均値と０信号を示す信号幅との差分、および、前記信号認識部で１信号と認識された信号の検出信号幅の平均値と１信号を示す信号幅との差分の少なくとも一方を算出する。これにより、ノイズの影響などにより、ヒステリシス特性を備える前記二値化部によって出力される受信信号の信号幅が、送信信号の信号幅に比べて増大した場合に、その増大分である差分を、実測値に基づいて精度よく求めることができる。
そして、前記デコード部は、前記二値化部が出力した各信号の信号幅を検出し、その検出信号幅を前記算出部が算出した差分を用いて閾値と比較することで、０信号または１信号を認識する。すなわち、検出信号幅を前記差分で補正して閾値と比較したり、閾値を前記差分で補正して検出信号幅と比較することで、０信号または１信号を認識する。
これにより、ノイズの影響により前記二値化部によって信号幅が増大される場合であっても、前記デコード部は、前記信号幅の増大分を考慮して、検出信号幅を閾値と比較できる。
このため、前記デコード部において、０信号および１信号のうち信号幅の小さい方の信号が、信号幅の大きい方の信号に間違って認識されてしまう可能性を低減できる。これにより、標準電波から時刻データを認識する際の認識精度を向上できる。
【０００９】
本発明の電波修正時計において、前記信号認識部は、前記標準電波のタイムコードにおける時、分、日付の少なくとも１つのビット列の各信号と、前記ビット列に対応するパリティビットの信号とを認識し、前記判定部は、前記信号認識部で認識された前記時、分、日付の少なくとも１つのビット列の各信号を、前記パリティビットの信号でパリティチェックを行い、誤りが無いと判断した場合に、前記認識された信号は正しいと判定することが好ましい。ここで、日付とは、年、月、日、および、曜日のいずれか１つ、または、その組合せであり、前記パリティビットの信号が検査対象とするデータによって設定される。
【００１０】
標準電波では、通常、時のビット列に対応するパリティビットと、分のビット列に対応するパリティビットとが設けられる。また、標準電波の種類によっては、日付のビット列に対応するパリティビットが設けられる場合もある。従って、パリティビットの信号でパリティチェックを行うことで、時や分や日付のビット列に誤りがあるかを判定できる。すなわち、前記判定部が実施するパリティチェックで正しいと判定できれば、前記信号認識部が時のビット列や分のビット列や日付のビット列で０信号、１信号と判定したものが正しいと判定できる。
また、本発明によれば、時や分や日付のビット列とそのパリティビットを受信すれば、パリティチェックで判定できるので、受信開始から１分以内で前記判定部による判定処理や、前記算出部による差分の算出処理を行うことができる。このため、例えば、前記判定部が、受信した複数の時刻データの整合性によって前記信号認識部が認識した信号を判定する場合に比べて、判定処理に要する時間を短くできる。この結果、時刻修正にかかる消費電力を低減できる。
さらに、前記判定部が、前記計時部が計時する時刻（内部時刻）と受信した時刻データとの整合性によって前記信号認識部が認識した信号を判定する場合は、前記計時部がリセットされている場合や、内部時刻にずれがある場合には判定できないが、本発明によれば、このような状態でも正しく判定できる。
【００１１】
本発明の電波修正時計において、前記信号認識部は、前記標準電波の連続する２分間分の信号を認識し、はじめの１分間分の信号で示される第１時刻データと、次の１分間分の信号で示される第２時刻データとを抽出し、前記判定部は、前記第１時刻データの１分後の時刻データが、前記第２時刻データと一致する場合に、前記認識した信号は正しいと判定することが好ましい。
【００１２】
本発明によれば、前記信号認識部で連続する２分間の信号を受信して、正しい前記第１時刻データおよび前記第２時刻データを抽出した場合、前記第１時刻データに１分を加算した時刻は、前記第２時刻データと一致する。従って、前記第１時刻データの１分後の時刻データと前記第２時刻データとが一致するか否かで、前記信号認識部で認識した信号が正しいかを判定できる。
そして、本発明によれば、時刻データに基づいた判定を、内部時刻を用いることなく行うことが可能となるので、例えば、前記計時部がリセットされている場合や、内部時刻にずれがある場合などでも、判定を正しく行うことができる。
【００１３】
本発明の電波修正時計において、前記信号認識部は、前記標準電波の１分間分の信号を認識して時刻データを抽出し、前記判定部は、前記時刻データが、前記計時部が計時する時刻と一致する場合に、前記認識した信号は正しいと判定することが好ましい。
【００１４】
本発明によれば、前記計時部で計時する時刻は、クオーツ時計の精度を維持できるので、標準電波を受信していない場合でも月差±１５秒程度の精度を維持できる。従って、前記信号認識部で１分間の信号を受信して正しい時刻データを抽出した場合、その時刻データは、通常、前記計時部で計時する内部時刻と一致する。このため、前記信号認識部で認識した信号が正しいかを判定できる。
そして、本発明によれば、時刻データに基づいた判定を、１分間の受信を行って時刻データを取得して内部時刻と比較することで可能となり、判定処理に要する時間を短縮できる。この結果、時刻修正にかかる消費電力を低減できる。
【００１５】
本発明の電波修正時計において、前記デコード部は、検出した各信号の検出信号幅から前記算出部が算出した差分を差し引いた値を、閾値と比較することで、０信号または１信号を認識することが好ましい。
【００１６】
本発明によれば、前記デコード部に設定された閾値を変更する必要がない。このため、閾値との比較によって０信号や１信号を判定する処理ルーチンも従来と同じものが利用できるとともに、前記デコード部の判定結果に基づいて差分を更新して利用することも容易に行うことができる。
【００１７】
本発明の電波修正時計において、前記デコード部は、検出した各信号の検出信号幅を、閾値に前記算出部が算出した差分を足した値と比較することで、０信号または１信号を認識することが好ましい。
【００１８】
本発明によれば、前記デコード部による信号の認識処理の前に、閾値に差分を足す処理を行うだけでよく、例えば、前記デコード部において信号を認識する毎に、差分を反映させるための処理を行う必要がない。このため、前記デコード部による認識処理にかかる負荷を低減することが可能となる。この結果、時刻修正にかかる消費電力を低減することができる。
【００１９】
本発明の電波修正時計において、前記信号認識部は、０信号および１信号のうち、信号幅の小さい信号の信号幅を検出し、前記算出部は、前記信号幅の小さい信号の検出信号幅の平均値と、その信号の信号幅との差分を算出することが好ましい。
【００２０】
本発明によれば、ノイズの影響により前記二値化部によって増大される分の信号幅を、信号幅の小さい方の信号に対して、精度よく求めることができる。これにより、前記デコード部において信号幅の小さい方の信号の検出信号幅を閾値と比較する際に、ノイズの影響により前記二値化部によって増大される分の信号幅を精度よく反映させることが可能となる。このため、ノイズの影響により前記二値化部によって信号幅が増大され、前記デコード部において、０信号および１信号のうち信号幅の小さい方の信号が、信号幅の大きい方の信号に間違って認識されてしまう可能性を、効果的に低減することができる。
【００２１】
本発明は、時刻を計時する計時部と、標準電波を受信して受信信号を出力する受信部と、前記受信部が出力した受信信号を検波して包絡線信号を出力する検波部と、ヒステリシス特性を備え、前記検波部が出力した信号を二値化して出力する二値化部とを有する電波修正時計の時刻修正方法であって、前記二値化部が出力した各信号の信号幅を検出し、その検出信号幅に基づいて、二進数の０を示す０信号または二進数の１を示す１信号を認識する信号認識ステップと、前記信号認識ステップで認識された０信号および１信号が正しいかを判定する判定ステップと、前記判定ステップで正しいと判定した場合、前記信号認識ステップで０信号と認識された信号の検出信号幅の平均値と０信号を示す信号幅との差分、および、前記信号認識ステップで１信号と認識された信号の検出信号幅の平均値と１信号を示す信号幅との差分の少なくとも一方を算出する算出ステップと、前記二値化部が出力した各信号の信号幅を検出し、その検出信号幅を前記算出ステップで算出した差分を用いて閾値と比較することで、０信号または１信号を認識し、時刻データを抽出する抽出ステップと、前記抽出ステップで抽出した時刻データに基づいて、前記計時部が計時する時刻を修正する時刻修正ステップと、を有することを特徴とする。
【００２２】
この電波修正時計の時刻修正方法においても、前記電波修正時計と同様に、０信号および１信号のうち信号幅の小さい方の信号が、信号幅の大きい方の信号に間違って認識されてしまう可能性は低減される。これにより、標準電波から時刻データを認識する際の認識精度を向上できる。
【図面の簡単な説明】
【００２３】
【図１】本発明の第１実施形態に係る電波修正時計の構成を示すブロック図である。
【図２】ドイツにおける標準電波「ＤＣＦ７７」の各信号に対する受信パルスデューティーおよび振幅変化を示す図である。
【図３】ドイツにおける標準電波「ＤＣＦ７７」のタイムコードフォーマットを示す図である。
【図４】（Ａ）はヒステリシス特性がない二値化回路を用いた場合のＴＣＯ信号の波形図であり、（Ｂ）はヒステリシス特性がある二値化回路を用いた場合のＴＣＯ信号の波形図である。
【図５】本発明の第１実施形態に係るＴＣＯデコード部の構成を示すブロック図である。
【図６】第１実施形態の時刻修正動作を示すフローチャートである。
【図７】第１実施形態の時刻修正動作を示すフローチャートである。
【図８】（Ａ）は差分の算出方法を説明する波形図であり、（Ｂ）は差分の反映方法を説明する波形図である。
【図９】第２実施形態の時刻修正動作を示すフローチャートである。
【図１０】第２実施形態の時刻修正動作を示すフローチャートである。
【図１１】第３実施形態の時刻修正動作を示すフローチャートである。
【図１２】第３実施形態の時刻修正動作を示すフローチャートである。
【発明を実施するための形態】
【００２４】
［第１実施形態］
以下、本発明の第１実施形態に係る電波修正時計１を図面に基づいて説明する。
〔電波修正時計の構成〕
電波修正時計１は、図１に示すように、アンテナ２と、受信回路部３と、制御回路部４と、表示部５と、外部操作部材６と、水晶振動子４８とを備えている。
アンテナ２は、長波標準電波（以下、「標準電波」と称す）を受信し、受信した標準電波の信号を受信回路部３に出力する。
【００２５】
標準電波には、日本の標準電波「ＪＪＹ」、アメリカ合衆国の標準電波「ＷＷＶＢ」、ドイツの標準電波「ＤＣＦ７７」、中国の標準電波「ＢＰＣ」などがある。
各標準電波では、ハイレベル信号の振幅とローレベル信号の振幅の割合が所定の比率のＡＭ変調で信号が出力されている。そして、ハイレベル信号またはローレベル信号の信号幅（もしくはディーティー）に基づいて０信号、１信号、マーカーを示す「Ｍ」の信号（Ｍ信号）が認識される。
【００２６】
例えば、「ＤＣＦ７７」では、図２に示すように、ハイレベル信号の振幅とローレベル信号の振幅の割合が１００：２５のＡＭ変調で信号が出力されている。
「ＤＣＦ７７」では、図２（Ａ）〜（Ｃ）に示すように、ローレベル信号の信号幅が０．１秒つまりローレベル信号のデューティーが１０％である場合に０信号、ローレベル信号の信号幅が０．２秒つまりローレベル信号のデューティーが２０％である場合に１信号と認識される。
さらに、「ＤＣＦ７７」では、Ｍ信号は、ＡＭ変調がされておらず、ハイレベル信号が１秒間続くと、Ｍ信号と認識される。
【００２７】
そして、各標準電波では、標準電波毎のタイムコードフォーマットにおいて、上記１，０，Ｍの各信号を用いることで時刻情報が送信されている。各標準電波のタイムコードフォーマットには、分、時などの時刻情報やパリティなどが含まれている。
例えば、図３に示す「ＤＣＦ７７」のタイムコードフォーマットでは、１秒ごとに一つの信号が送信され、６０秒で１レコードとして構成されている。つまり、１フレームが６０ビットの情報である。また、情報項目として分、時、日、曜、月、年が設定されている。なお、分のビット列にはパリティビットＰ１が、時のビット列には、パリティビットＰ２がそれぞれ含まれている。また、年のビット列の後には、日付用のパリティビットとして、年月日曜のパリティビットＰ３が設定されている。各情報項目の値は、秒毎（各ビット）に割り当てられた数値（０，１）の組み合わせによって設定される。
すなわち、各標準電波では、標準電波毎のタイムコードフォーマットに対応したタイムコードが、１分毎に送信されている。
【００２８】
図１に戻り、受信回路部３は、アンテナ２で受信した標準電波の受信信号を復調して、ＴＣＯ（Time Code Out：タイムコード出力）信号として制御回路部４に出力する。なお、受信回路部３の詳細な説明は、後述する。
【００２９】
制御回路部４は、入力されたＴＣＯ信号をデコードしてＴＣ（タイムコード、時刻データ）を生成し、生成したＴＣに基づいて時刻カウンター４３の時刻を設定する。また、制御回路部４は、時刻カウンター４３の時刻を表示部５に表示させる制御をする。なお、制御回路部４の詳細な説明は、後述する。
【００３０】
表示部５は、制御回路部４の駆動回路部４６により駆動制御され、時刻カウンター４３でカウントされる時刻を表示させる。この表示部５としては、例えば液晶パネルを備え、液晶パネルに時刻を表示させる構成であってもよく、文字板および指針を備え、制御回路部４により指針を運針させて時刻を表示させる構成であってもよい。
【００３１】
外部操作部材６は、例えばリューズや設定ボタンなどにより構成され、利用者により操作されることで制御回路部４に所定の操作信号を出力する。この操作信号としては、例えば、アンテナ２で受信される標準電波の種類（例えば、「ＪＪＹ」、「ＷＷＶＢ」、「ＤＣＦ７７」、「ＢＰＣ」など）を設定する電波種類設定信号、標準電波を受信して時刻を修正させる修正要求信号などが挙げられる。
【００３２】
基準クロック用の水晶振動子４８は、所定の基準信号（基準クロック、例えば32.768kHzの信号）を出力するものであり、この水晶振動子４８から出力された基準信号が制御回路部４に入力されている。
【００３３】
〔受信回路部の構成〕
受信回路部３は、図１に示すように、同調回路３１と、第１増幅回路３２と、バンドパスフィルター（ＢＰＦ：Band-pass filter）３３と、第２増幅回路３４と、包絡線検波回路３５と、自動利得制御回路としてのＡＧＣ（Auto Gain Control）回路３６と、二値化回路３７と、デコード回路３８とを備えて構成されている。
【００３４】
同調回路３１は、コンデンサーを備えて構成され、同調回路３１とアンテナ２とにより並列共振回路が構成される。この同調回路３１は、特定の周波数の電波をアンテナ２で受信させる。この同調回路３１により、アンテナ２で受信された標準電波が電圧信号に変換され、第１増幅回路３２に出力される。
なお、本実施形態の受信回路部３では、「ＪＪＹ」、「ＷＷＶＢ」、「ＤＣＦ７７」、「ＢＰＣ」などの標準電波を受信可能に構成されている。従って、アンテナ２および同調回路３１により、複数種類の標準電波を受信可能な受信部が構成されている。
【００３５】
第１増幅回路３２は、後述するＡＧＣ回路３６から入力する信号（ＡＧＣ電圧）に応じてゲインを調整し、同調回路３１から入力する受信信号を一定の振幅としてバンドパスフィルター３３に入力するように増幅する。すなわち、第１増幅回路３２は、ＡＧＣ回路３６から入力する信号に応じて、振幅が大きい場合にはゲインを低くし、振幅が小さい場合にはゲインを高くして、受信信号を一定の振幅となるように増幅する。
【００３６】
バンドパスフィルター３３は、所望の周波数帯の信号を抽出するフィルターである。すなわち、バンドパスフィルター３３を介することにより、第１増幅回路３２から入力した受信信号から搬送波成分以外が除去される。
【００３７】
第２増幅回路３４は、バンドパスフィルター３３から入力する受信信号を、固定のゲインでさらに増幅する。従って、本実施形態では、第１増幅回路３２および第２増幅回路３４により、受信信号を増幅する信号増幅部が構成されている。
【００３８】
包絡線検波回路３５は、図示しない整流器と、図示しないローパスフィルター（ＬＰＦ：Low-Pass Filter）とを備えて構成され、第２増幅回路３４から入力した受信信号を整流およびろ波し、ろ波して得られた包絡線信号を、ＡＧＣ回路３６および二値化回路３７に出力する。従って、本実施形態では、包絡線検波回路３５により、受信信号を検波して包絡線信号を出力する検波部が構成されている。
ＡＧＣ回路３６は、包絡線検波回路３５から入力した包絡線信号に基づいて、第１増幅回路３２にて受信信号を増幅する際のゲインを決定する信号を出力する。
【００３９】
二値化回路３７は、包絡線検波回路３５から入力した包絡線信号と、基準電圧（閾値）とを比較して二値化信号、すなわち、ＴＣＯ信号を出力する二値化部を構成するものである。
ここで、二値化回路３７は、閾値が所定の幅を備えるヒステリシス特性を有している。具体的には、二値化回路３７は、電圧が低い方の低閾値と、電圧が高い方の高閾値とを有する。そして、二値化回路３７は、ローレベル信号を出力している状態で、包絡線信号の電圧が高閾値を跨いで上昇した場合に、ハイレベル信号の出力に切り替える。また、ハイレベル信号を出力している状態で、包絡線信号の電圧が低閾値を跨いで降下した場合に、ローレベル信号の出力に切り替える。二値化回路３７は、変換した二値化信号をＴＣＯ信号として、制御回路部４のＴＣＯデコード部４１に出力する。
なお、二値化回路３７としては、ハイレベル信号を出力している状態で、包絡線信号の電圧が高閾値を跨いで上昇した場合に、ローレベル信号の出力に切り替え、また、ローレベル信号を出力している状態で、包絡線信号の電圧が低閾値を跨いで降下した場合にハイレベル信号の出力に切り替えて、制御回路部４のＴＣＯデコード部４１に出力するものを用いてもよい。
【００４０】
これにより、二値化回路３７は、入力した包絡線信号の信号波形が歪んでいる場合であっても、出力するＴＣＯ信号にチャタリングが発生することを抑制することができる。その一方、二値化回路３７では、入力される包絡線信号にノイズが含まれている場合、出力するＴＣＯ信号の信号幅が増大することがある。
【００４１】
ヒステリシス特性を備えていない二値化回路を用いた場合は、図４（Ａ）に示すように、包絡線信号において、信号に近接してノイズが含まれている場合であっても、信号とノイズとの間で電圧が閾値（ＴＨ）を下回れば、ＴＣＯ信号において、信号とノイズとは別のパルスで出力されるため、信号幅は増大されない。
一方、ヒステリシス特性を備えている二値化回路３７は、図４（Ｂ）に示すように、例えば、ＴＨよりも電圧の低い閾値（ＴＨＬ）と、ＴＨよりも電圧の高い閾値（ＴＨＨ）とを備えており、包絡線信号の電圧がＴＨＬを跨いで降下しなければ、ＴＣＯ信号がハイレベル信号からローレベル信号へ変化しない。このため、包絡線信号に、図４（Ａ）と同じようにノイズが含まれている場合、信号とノイズとの間で電圧がＴＨＬよりも低くならなければ、ローレベル信号が出力されない。この場合、ＴＣＯ信号では、信号波形にノイズが吸収されてしまい、信号幅が増大される。
このように、本実施形態では、ヒステリシス特性を備えている二値化回路３７を用いているため、チャタリングの発生を抑制できる一方で、ノイズの影響により二値化回路３７によって信号幅が増大される可能性がある。
【００４２】
図１に戻り、デコード回路３８は、後述する制御回路部４と、シリアル通信線ＳＬを介して接続されている。そして、このデコード回路３８は、制御回路部４から入力する制御信号をデコードし、制御信号に含まれるコードに基づいて、同調回路３１やバンドパスフィルター３３を制御する制御信号を出力する。
【００４３】
〔制御回路部の構成〕
制御回路部４は、受信回路部３の動作を制御するものであり、受信回路部３に対して制御信号を出力する。具体的には、制御回路部４の制御部４７は、受信する標準電波に応じた同調コンデンサーの切り替えやバンドパスフィルター３３の切り替えを指示する制御信号を、受信回路部３を起動するパワーオン信号の受信開始時に送信する。
また、制御回路部４は、二値化回路３７から入力するＴＣＯ信号をデコードして生成したＴＣに基づいて、時刻カウンター４３の時刻を設定する。さらには、制御回路部４は、時刻カウンター４３の時刻を表示部５に表示させる制御をする。
【００４４】
制御回路部４は、図１に示すように、ＴＣＯデコード部４１と、記憶部４２と、時刻カウンター４３と、駆動回路部４６と、制御部４７とを備えて構成されている。
【００４５】
〔ＴＣＯデコード部の構成〕
ＴＣＯデコード部４１は、受信回路部３の二値化回路３７から入力するＴＣＯ信号をデコードして、当該ＴＣＯ信号に含まれる日付情報および時刻情報等を有するＴＣを抽出する。そして、ＴＣＯデコード部４１は、抽出したＴＣを制御部４７に出力する。
具体的には、ＴＣＯデコード部４１は、図５に示すように、信号認識部４１１と、取得部４１２と、記憶部４１３と、判定部４１４と、算出部４１５と、デコード部４１６とを有している。
【００４６】
信号認識部４１１は、二値化回路３７から入力するＴＣＯ信号の各信号の信号幅を検出し、その検出信号幅に基づいて、０信号または１信号を認識する。具体的には、信号認識部４１１は、検出信号幅を閾値と比較することで０信号または１信号を認識する。
例えば、「ＤＣＦ７７」の場合、０信号の信号幅が０．１秒、１信号の信号幅が０．２秒であるため、これらを判別する閾値は、０．１秒と０．２秒の中間の０．１５秒に設定されている。そして、信号認識部４１１は、検出信号幅が０．１５秒未満であれば０信号を認識し、検出信号幅が０．１５秒以上であれば１信号を認識する。
この際、ノイズの影響により二値化回路３７によって信号幅が増大されることで、信号認識部４１１において、０信号および１信号のうち信号幅の小さい方の信号が、信号幅の大きい方の信号に間違って認識されてしまう可能性がある。
例えば、「ＤＣＦ７７」において、ノイズの影響により二値化回路３７によって０信号の検出信号幅が０．１６秒に増大されると、信号認識部４１１は、誤って１信号を認識してしまう可能性がある。一方、ノイズの影響により二値化回路３７によって１信号の検出信号幅が０．２６秒に増大しても、０．１５秒以上であることは変わらないため、信号認識部４１１は、１信号と正しく認識できる。すなわち、１信号よりも信号幅の大きな信号が、「ＤＣＦ７７」では存在しないため、１信号の閾値の上限値を０．２５秒に設定する必要が無いためである。
なお、０信号を判定する閾値の下限値を例えば０．０５秒以上と設定したり、１信号を判定する閾値の上限値を例えば０．５秒未満と設定して、検出精度を向上させてもよい。
なお、後述するように、信号認識部４１１による認識処理は、受信開始後、１分間の信号が入力（受信）されると終了する。
【００４７】
取得部４１２は、信号認識部４１１で０信号または１信号と認識された各信号の検出信号幅を取得し、取得した検出信号幅を認識された信号の種別（０信号または１信号）と対応付けて記憶部４１３に格納する。
なお、取得部４１２は、０信号または１信号のうち、信号認識部４１１で信号幅の小さい方の信号（「ＤＣＦ７７」では０信号）と認識された各信号の検出信号幅のみを取得し、取得した検出信号幅のみを記憶部４１３に格納してもよい。
【００４８】
判定部４１４は、信号認識部４１１で認識された０信号および１信号が正しいかを判定する。具体的には、判定部４１４は、信号認識部４１１で認識された時、分、年月日曜の少なくとも１つのビット列の各信号を、パリティビットの信号でパリティチェックを行い、誤りが無いと判断した場合に、認識された信号は正しいと判定する。
【００４９】
例えば、「ＤＣＦ７７」の場合、判定部４１４は、分のビット列の各信号を足して２で割った余りがパリティビットＰ１の信号と一致した場合、認識された信号が正しいものであると判定する。または、判定部４１４は、時のビット列の各信号を足して２で割った余りがパリティビットＰ２の信号と一致した場合、認識された信号が正しいものであると判定する。または、判定部４１４は、年月日曜のビット列の各信号を足して２で割った余りがパリティビットＰ３の信号と一致した場合、認識された信号が正しいものであると判定する。
これによれば、ノイズの影響により二値化回路３７によって信号幅が増大されることで、信号認識部４１１において、時、分、または、年月日曜のビット列に含まれる信号幅の小さい方の０信号が、信号幅の大きい方の１信号に間違って認識された場合、このビット列の各信号を足して２で割った余りがパリティビットＰ１、パリティビットＰ２、または、パリティビットＰ３の信号と一致しなくなる。これにより、信号認識部４１１で認識された０信号および１信号が正しいかを判定することができる。
なお、標準電波のパリティは１ビットであるため、時や分や年月日曜のビット列に含まれる２つの０信号を誤って１信号と認識した場合は、パリティチェックでは正しいと誤判定してしまう。ただし、時や分や年月日曜のビット列において、２つの０信号のビット位置にノイズが影響し、２つの０信号を同時に１信号と誤認識する確率は低いため、通常は、パリティチェックで正しいと判定できた場合には、０信号、１信号を正しく認識できたと判定できる。
【００５０】
算出部４１５は、判定部４１４が正しいと判定した場合、記憶部４１３から、０信号および１信号のうち、信号幅の小さい方の信号に対応付けられている検出信号幅をすべて取得し、取得した検出信号幅の平均値を算出する。
さらに、算出部４１５は、算出した平均値と、信号幅の小さい方の信号を示す信号幅との差分を算出する。
例えば、「ＤＣＦ７７」の場合、算出部４１５は、記憶部４１３から、０信号に対応付けられている検出信号幅をすべて取得し、取得した検出信号幅の平均値を算出する。さらに、算出部４１５は、算出した平均値と、０信号を示す信号幅（０．１秒）との差分を算出する。
このように、算出部４１５が差分を算出することで、ノイズの影響により二値化回路３７によって増大される分の信号幅を、実測値に基づいて精度よく求めることが可能となる。
【００５１】
デコード部４１６は、信号認識部４１１による信号認識を行う１分間の信号入力が終了した後に、継続して二値化回路３７から入力するＴＣＯ信号の各信号の信号幅を検出し、その検出信号幅と算出部４１５が算出した差分とに基づいて、０信号または１信号を認識する。
具体的には、デコード部４１６は、検出信号幅から算出部４１５が算出した差分を差し引いた値を、閾値と比較することで０信号または１信号を認識する。
例えば、「ＤＣＦ７７」の場合、デコード部４１６は、検出信号幅から算出部４１５が算出した差分を差し引いた値が、０．０５秒以上、０．１５秒未満であれば０信号を認識し、０．１５秒以上、０．５秒未満であれば１信号を認識する。なお、デコード部４１６は、二値化回路３７から出力される信号が１秒間、ローレベルに維持されている場合は、Ｍ信号と認識する。
さらに、デコード部４１６は、認識した０信号および１信号を、１分間すなわち６０ビット分記憶し、記憶した信号に基づいてＴＣを抽出する。そして、デコード部４１６は、抽出したＴＣを制御部４７へ出力する。
【００５２】
図１に戻り、記憶部４２は、制御回路部４による受信回路部３の制御などに必要な各種情報やプログラムなどを記憶するメモリーである。
時刻カウンター４３は、水晶振動子４８から出力される基準信号に基づいて、時間（内部時刻）をカウントする。従って、時刻カウンター４３により本発明の計時部が構成されている。
【００５３】
駆動回路部４６は、制御部４７から出力される時刻表示制御信号に基づいて、表示部５の表示状態を制御し、表示部５に時刻を表示させる制御をする。例えば、表示部５が液晶パネルを有し、液晶パネルに時刻を表示させる構成である場合、駆動回路部４６は、時刻表示制御信号に基づいて、液晶パネルを制御し、液晶パネルに時刻を表示させる制御をする。また、表示部５が文字板および指針を有する構成である場合、駆動回路部４６は、指針を駆動させるステッピングモーターに、パルス信号を出力し、ステッピングモーターの駆動力により指針を運針させる制御をする。
【００５４】
制御部４７は、水晶振動子４８から入力される駆動周波数に基づいて駆動し各種制御処理を実施する。すなわち、制御部４７は、ＴＣＯデコード部４１から入力されるＴＣを、時刻カウンター４３に出力し、時刻カウンター４３のカウントを修正する制御をする。この際、制御部４７は、ＴＣＯデコード部４１から入力されるＴＣの整合性も確認する。従って、制御部４７により本発明の時刻修正部が構成されている。
また、制御部４７は、時刻カウンター４３にてカウントされる時刻を表示部５に表示させる時刻表示制御信号を駆動回路部４６に出力する。
【００５５】
〔電波修正時計の動作〕
次に、上記のような電波修正時計１における、標準電波による時刻修正動作について説明する。
図６、７は、電波修正時計１の時刻修正動作を示すフローチャートである。
【００５６】
電波修正時計１の制御部４７は、外部操作部材６から時刻修正を実施する操作信号が入力されたり、予め設定された定時受信時刻となったことを認識すると、受信回路部３にパワーオン信号を入力して受信回路部３を起動し、アンテナ２による標準電波の受信を開始する（ステップ１、以下ステップを「Ｓ」と略す）。
【００５７】
この際、制御部４７は、アンテナ２での受信に影響しないように、駆動回路部４６を介して秒針の運針を停止している。さらに、制御部４７は、同調回路３１の周波数を受信する標準電波に応じて設定する。
なお、受信する標準電波の種類は、前回、受信した標準電波が初期値として設定されるが、利用者が外部操作部材６を操作して選択することもできる。例えば、「ＪＪＹ」が選択されている場合は、４０ｋＨｚ（東日本）と６０ｋＨｚ（西日本）のいずれかに設定される。具体的には、「ＪＪＹ」（東日本）と「ＪＪＹ」（西日本）とを利用者が選択している場合には、制御部４７は、選択された周波数に設定し、選択されていない場合は、前回の受信周波数に設定する。また、制御部４７は、「ＤＣＦ７７」では７７．５ｋＨｚ、「ＷＷＶＢ」では６０ｋＨｚ、「ＢＰＣ」では６８．５ｋＨｚに設定する。
なお、ここでは、「ＤＣＦ７７」を受信した場合について説明する。
【００５８】
Ｓ１でアンテナ２による標準電波の受信が開始されると、二値化回路３７からＴＣＯ信号が順次出力され、信号認識部４１１に入力される。信号認識部４１１は、入力されるＴＣＯ信号の信号幅を順次検出し、その検出信号幅に基づいて、０信号または１信号を認識する。
この際、取得部４１２は、信号認識部４１１に１分間分（１フレーム分）のＴＣＯ信号が入力されたかどうかを判定する（Ｓ２）。
【００５９】
Ｓ２でＮＯと判定された場合、取得部４１２は、信号認識部４１１で０信号または１信号と認識された信号の検出信号幅を取得する（Ｓ３）。
そして、取得部４１２は、Ｓ３で取得した検出信号幅を認識された信号の種別（０信号または１信号）と対応付けて記憶部４１３に格納する（Ｓ４）。このＳ３，Ｓ４の処理は、Ｓ２でＹＥＳと判定されるまで繰り返される。
【００６０】
一方、Ｓ２でＹＥＳと判定されると、判定部４１４は、記憶部４１３に記憶された０信号および１信号が正しいかを判定する。具体的には、判定部４１４は、信号認識部４１１で認識された時、分、年月日曜の少なくとも１つのビット列の各信号に対して、パリティビットの信号でパリティチェックを行い、誤りが無いと判断した場合に、認識された信号は正しいと判定する（Ｓ５）。
Ｓ５でＮＯ（正しくない）と判定された場合、判定部４１４は、処理をＳ２に戻す。すなわち、次の１分のＴＣＯ信号に対してＳ２，Ｓ３，Ｓ４の処理が再度実施される。
【００６１】
Ｓ５でＹＥＳ（正しい）と判定された場合、算出部４１５は、記憶部４１３から、０信号に対応付けられている検出信号幅を取得し、取得した検出信号幅の平均値を算出する（Ｓ６）。
次に、算出部４１５は、算出した平均値と、０信号を示す信号幅（０．１秒）との差分を算出する（Ｓ７）。
例えば、図８（Ａ）に示すように、０信号に対応付けられている検出信号幅の平均値が１３３ｍｓである場合、０信号を示す信号幅は０．１秒、すなわち、１００ｍｓであるので、差分は３３ｍｓとなる。
【００６２】
次に、デコード部４１６は、二値化回路３７から入力するＴＣＯ信号の信号幅を検出し、その検出信号幅と算出部４１５が算出した差分とに基づいて、０信号または１信号を認識する。
具体的には、デコード部４１６は、検出信号幅から算出部４１５が算出した差分を差し引く（Ｓ８）。例えば、図８（Ｂ）に示すように、検出信号幅が１５１ｍｓであり、Ｓ７で算出した差分が３３ｍｓであった場合、デコード部４１６は、１５１ｍｓ−３３ｍｓ＝１１８ｍｓの値を算出する。
【００６３】
そして、デコード部４１６は、検出信号幅から差分を差し引いた値を、閾値と比較することで０信号または１信号を認識する（Ｓ９）。
デコード部４１６は、例えば、検出信号幅から算出部４１５が算出した差分を差し引いた値が、５０ｍｓ以上、１５０ｍｓ未満であれば０信号を認識し、検出信号幅が１５０ｍｓ以上、２５０ｍｓ未満であれば１信号を認識する。従って、図８（Ｂ）の場合、デコード部４１６は０信号と認識する。
【００６４】
次に、デコード部４１６は、認識した０信号および１信号を、１分間すなわち６０ビット記憶し、記憶した信号に基づいてＴＣを抽出する。そして、デコード部４１６は、抽出したＴＣを制御部４７へ出力する（Ｓ１０）。
【００６５】
次に、制御部４７は、デコード部４１６から入力されるＴＣの整合性を確認する（Ｓ１１）。
整合性の確認方法としては、例えば、標準電波は１分間隔で時刻情報を送信しているため、１分毎に取得したＴＣが１分間隔の時刻であるかで整合性を確認したり、時刻カウンター４３で計時している内部時刻とＴＣとを比較して整合性を確認する方法が利用できる。
【００６６】
Ｓ１１でＹＥＳ（整合性がある）と判定された場合、制御部４７は、受信処理を終了する（Ｓ１２）。また、制御部４７は、取得したＴＣで時刻カウンター４３を更新し、駆動回路部４６を介して表示部５における時刻表示を修正する（Ｓ１３）。
Ｓ１１でＮＯ（整合性なし）と判定された場合、制御部４７は、受信処理を終了する（Ｓ１４）。
Ｓ１３、および、Ｓ１４の後、制御部４７は、通常の運針処理に復帰して処理を終了する（Ｓ１５）。
【００６７】
このような本実施形態によれば、次のような効果がある。
（１）本実施形態では、標準電波の受信信号は包絡線検波回路３５で包絡線信号とされ、二値化回路３７は、この包絡線信号を二値化する。信号認識部４１１は、二値化された各信号の信号幅を検出して、０信号または１信号を認識する。判定部４１４は、パリティチェックによって、信号認識部４１１が認識した信号が正しいかを判定する。
算出部４１５は、判定部４１４が正しいと判定した場合、０信号または１信号のうち信号認識部４１１で信号幅の小さい方の信号と認識された信号の検出信号幅の平均値と、その信号を示す信号幅との差分を算出する。これにより、ノイズの影響などにより、ヒステリシス特性を備える二値化回路３７によって出力される受信信号の信号幅が、送信信号の信号幅に比べて増大した場合に、その増大分である差分を、実測値に基づいて精度よく求めることができる。
そして、デコード部４１６は、二値化回路３７が出力した各信号の信号幅を検出し、その検出信号幅を算出部４１５が算出した差分を用いて閾値と比較することで、０信号または１信号を認識する。すなわち、検出信号幅を前記差分で補正して閾値と比較することで、０信号または１信号を認識する。
これにより、ノイズの影響により二値化回路３７によって信号幅が増大される場合であっても、デコード部４１６は、前記信号幅の増大分を考慮して、検出信号幅を閾値と比較できる。
このため、デコード部４１６において、０信号および１信号のうち信号幅の小さい方の信号が、信号幅の大きい方の信号に間違って認識されてしまう可能性を低減できる。これにより、標準電波から時刻データを認識する際の認識精度を向上できる。
【００６８】
（２）判定部４１４は、信号認識部４１１で認識された信号が正しいかの判定処理を、パリティビットの信号を用いたパリティチェックで判定している。このため、受信開始から１分以内で判定部４１４による判定処理や、算出部４１５による差分の算出処理を行うことができ、時刻修正にかかる消費電力も低減できる。
【００６９】
（３）デコード部４１６は、検出した各信号の検出信号幅から算出部４１５が算出した差分を差し引いた値を、閾値と比較することで、０信号または１信号を認識する。
これにより、デコード部４１６に設定された閾値を変更する必要がない。このため、閾値との比較によって０信号や１信号を判定する処理ルーチンも従来と同じものが利用できるとともに、デコード部４１６の判定結果に基づいて差分を更新して利用することも容易に行うことができる。
【００７０】
（４）信号認識部４１１は、０信号および１信号のうち、信号幅の小さい信号の検出信号幅を検出し、算出部４１５は、信号幅の小さい信号の検出信号幅の平均値と、その信号の信号幅との差分を算出する。
このため、ノイズの影響により二値化回路３７によって増大される分の信号幅を、信号幅の小さい方の信号に対して、精度よく求めることができる。これにより、デコード部４１６において信号幅の小さい方の信号の検出信号幅を閾値と比較する際に、ノイズの影響により二値化回路３７によって増大される分の信号幅を精度よく反映させることが可能となる。このため、ノイズの影響により二値化回路３７によって信号幅が増大され、デコード部４１６において、０信号および１信号のうち信号幅の小さい方の信号が、信号幅の大きい方の信号に間違って認識されてしまう可能性を、効果的に低減できる。
【００７１】
［第２実施形態］
次に、本発明の第２実施形態の電波修正時計について、図面に基づいて説明する。
第２実施形態では、信号認識部４１１は、標準電波の連続する２分間分の信号を認識し、はじめの１分間分の信号で示される第１時刻データと、次の１分間分の信号で示される第２時刻データとを抽出する。
さらに、判定部４１４は、信号認識部４１１が抽出した第１時刻データの１分後の時刻データが、信号認識部４１１が抽出した第２時刻データと一致する場合に、信号認識部４１１によって認識された信号は正しいと判定する。その他の構成は、第１実施形態と同様である。
【００７２】
図９、図１０は、第２実施形態の時刻修正動作を示すフローチャートである。このフローチャートは、図６、図７で示されるフローチャートに対して、Ｓ２をＳ２１に、Ｓ５をＳ２２に置き換えたものに相当する。その他のステップはすべて図６、図７と同じである。
第２実施形態では、Ｓ１で標準電波の受信が開始された後、取得部４１２が、信号認識部４１１に２分間分のＴＣＯ信号が入力されたかどうかを判定する（Ｓ２１）。
さらに、Ｓ２１でＹＥＳと判定された場合、判定部４１４が、はじめの１分間分の信号で示される第１時刻データの１分後の時刻データが、次の１分間分の信号で示される第２時刻データと一致するかどうかを判定する（Ｓ２２）。また、Ｓ２１でＮＯと判定された場合、判定部４１４は、処理をＳ３に進める。
さらに、Ｓ２２でＹＥＳ（一致する）と判定された場合、判定部４１４は、処理をＳ６に進める。また、Ｓ２２でＮＯと判定された場合、判定部４１４は、処理をＳ２１に戻す。すなわち、次の２分のＴＣＯ信号に対してＳ２１が実施される。
【００７３】
第２実施形態によれば、信号認識部４１１で連続する２分間の信号を受信して、正しい第１時刻データおよび第２時刻データを抽出した場合、第１時刻データに１分を加算した時刻は、第２時刻データと一致する。従って、第１時刻データの１分後の時刻データと第２時刻データとが一致するか否かで、信号認識部４１１で認識した信号が正しいかを判定できる。
【００７４】
このような第２実施形態によれば、第１実施形態の効果に加えて、次の効果も得ることができる。
時刻データに基づいた判定を、内部時刻を用いることなく行うことが可能となるので、例えば、時刻カウンター４３がリセットされている場合や、内部時刻にずれがある場合などでも、判定を正しく行うことができる。
【００７５】
［第３実施形態］
次に、本発明の第３実施形態の電波修正時計について、図面に基づいて説明する。
第３実施形態では、信号認識部４１１は、標準電波の１分間分の信号を認識して時刻データを抽出し、判定部４１４は、信号認識部４１１が抽出した時刻データが、時刻カウンター４３が計時する時刻と一致する場合に、信号認識部４１１によって認識された信号は正しいと判定する。その他の構成は、第１実施形態と同様である。
【００７６】
図１１、図１２は、第３実施形態の時刻修正動作を示すフローチャートである。このフローチャートは、図６、図７で示されるフローチャートに対して、Ｓ５をＳ３１に置き換えたものに相当する。その他のステップはすべて図６、図７と同じである。
第３実施形態では、Ｓ２でＹＥＳと判定された場合、判定部４１４が、信号認識部４１１で認識された信号で示される時刻データが、時刻カウンター４３が計時する時刻と一致するかどうかを判定する（Ｓ３１）。
さらに、Ｓ３１でＹＥＳ（一致する）と判定された場合、判定部４１４は、処理をＳ６に進める。また、Ｓ３１でＮＯ（一致しない）と判定された場合、判定部４１４は、処理をＳ２に戻す。すなわち、次の１分のＴＣＯ信号に対してＳ２が実施される。
【００７７】
第３実施形態によれば、時刻カウンター４３で計時する時刻は、標準電波を受信していない場合でも月差±１５秒程度の精度を維持できるため、通常は現時刻を示す。従って、信号認識部４１１で１分間の信号を受信して正しい時刻データを抽出した場合、その時刻データは、通常、時刻カウンター４３で計時する内部時刻と一致する。このため、信号認識部４１１で認識した信号が正しいかを判定できる。
【００７８】
このような第３実施形態によれば、第１実施形態の効果に加えて、次の効果も得ることができる。
時刻データに基づいた判定を、１分間の受信を行って時刻データを取得して内部時刻と比較することで可能となり、判定処理に要する時間を短縮できる。この結果、時刻修正にかかる消費電力を低減できる。
【００７９】
［変形例］
なお、本発明は前述の各実施形態に限定されるものではなく、本発明の目的を達成できる範囲での変形、改良等は本発明に含まれるものである。
【００８０】
例えば、算出部４１５は、デコード部４１６における検出信号幅と閾値との比較で用いられる差分を、次のように算出してもよい。
すなわち、算出部４１５は、記憶部４１３から、０信号および１信号のうち信号幅の大きい方の信号に対応付けられている検出信号幅をすべて取得し、取得した検出信号幅の平均値を算出し、算出した平均値と、信号幅の大きい方の信号を示す信号幅との差分を算出する。
また、算出部４１５は、記憶部４１３から、０信号および１信号の両方の信号に対応付けられている検出信号幅をすべて取得する。そして、取得した０信号に対応付けられている検出信号幅の平均値と０信号を示す信号幅との差分と、取得した１信号に対応付けられている検出信号幅の平均値と１信号を示す信号幅との差分とをそれぞれ算出する。そして、算出した２つの差分の平均値を算出する。
【００８１】
また、デコード部４１６は、検出した各信号の検出信号幅を、閾値に算出部４１５が算出した差分を足した値と比較することで、０信号または１信号を認識してもよい。
例えば、算出部４１５が算出した差分が３３ｍｓであれば、デコード部４１６は、検出信号幅が、８３ｍｓ以上、１８３ｍｓ未満であれば０信号を認識し、検出信号幅が１８３ｍｓ以上、２８３ｍｓ未満であれば１信号を認識する。
これによれば、デコード部４１６による信号の認識処理の前に、閾値に差分を足す処理を行うだけでよく、例えば、デコード部４１６において信号を認識する毎に、差分を反映させるための処理を行う必要がない。このため、デコード部４１６による認識処理にかかる負荷を低減することが可能となる。この結果、時刻修正にかかる消費電力を低減できる。
【００８２】
さらに、前記第２実施形態では、２分間の信号入力を確認し、２分間の時刻データの整合性によって信号認識部４１１の認識が正しいかを判定していたが、３分間以上の信号入力を確認し、３分間以上の時刻データの整合性によって信号認識部４１１の認識が正しいかを判定してもよい。
【符号の説明】
【００８３】
１…電波修正時計、２…アンテナ、３…受信回路部、４…制御回路部、５…表示部、６…外部操作部材、３１…同調回路、３２…第１増幅回路、３３…バンドパスフィルター、３４…第２増幅回路、３５…包絡線検波回路、３６…ＡＧＣ回路、３７…二値化回路、３８…デコード回路、４１…ＴＣＯデコード部、４２…記憶部、４３…時刻カウンター、４６…駆動回路部、４７…制御部、４１１…信号認識部、４１２…取得部、４１３…記憶部、４１４…判定部、４１５…算出部、４１６…デコード部
【図１】
2014077695.tif 000003
【図２】
2014077695.tif 000004
【図３】
2014077695.tif 000005
【図４】
2014077695.tif 000006
【図５】
2014077695.tif 000007
【図６】
2014077695.tif 000008
【図７】
2014077695.tif 000009
【図８】
2014077695.tif 000010
【図９】
2014077695.tif 000011
【図１０】
2014077695.tif 000012
【図１１】
2014077695.tif 000013
【図１２】
2014077695.tif 000014